(57)【特許請求の範囲】
【請求項１】
景品に付された識別データを検出して、前記景品をカウントする計数装置において、
当該装置を制御する制御部と、前記識別データを検出するセンサと、前記識別データ解読用の初期設定データを記憶する記憶手段と、前記景品を搬送する搬送手段とを備え、前記景品が、前記搬送手段にて搬送されて前記センサの検出位置を通過するとともに、前記制御部が、前記センサにて検出された識別データを、前記記憶手段に記憶された初期設定データに基づいて解読することにより、前記景品をカウントする装置であり、
前記識別データ解読用の初期設定データは、前記センサを用いて、当該初期設定データを記録する記録媒体から読み込むこととし、
更に、前記景品は、前記識別データを記録する記録媒体が設けられたカードであり、前記識別データ解読用の初期設定データは、当該初期設定データを記録する記録媒体が設けられた前記景品と同型のカードから読み込むことを特徴とする計数装置。
【発明の詳細な説明】
【０００１】
【発明の属する技術分野】
本発明は、景品に付された識別データを検出して、その景品をカウントする計数装置に関する。
【０００２】
【従来の技術】
パチンコ店の遊戯客が獲得した景品を買い取る業務においては、景品をカウントする計数装置が用いられている。
【０００３】
通常、この種の景品には、店舗のＩＤや、景品の種類や、景品の通し番号等を表す識別データが付されており、計数装置は、そのような識別データを検出し、景品の代価を算出する構成となっている。
【０００４】
また、このような景品の買い取り業務に用いる装置は、例えば特開平７−２７１９３６号や、特開平８−３３６６５８号等にも記載されている。
【０００５】
【発明が解決しようとする課題】
ところで、前述した景品の識別データは、各店舗毎にそれぞれ異なるため、計数装置については、あらかじめ、識別データ解読用の初期設定データを、所定の店舗に応じて設定する必要がある。
【０００６】
しかしながら、計数装置における初期設定データの読み込みは、その計数装置に別途のパソコンを接続する等して行われており、非常に面倒な作業となっている。つまり、このような読み込みについては、より簡単に行える構成が望まれている。
【０００７】
本発明は、こうした事情に鑑みてなされたものであり、識別データが付された景品をカウントする装置であり、識別データ解読用の初期設定データを効率よく読み込むことができる計数装置を提供することを目的としている。
【０００８】
【課題を解決するための手段】
本願第１請求項に記載した発明は、景品に付された識別データを検出して、前記景品をカウントする計数装置において、当該装置を制御する制御部と、前記識別データを検出するセンサと、前記識別データ解読用の初期設定データを記憶する記憶手段と、前記景品を搬送する搬送手段とを備え、前記景品が、前記搬送手段にて搬送されて前記センサの検出位置を通過するとともに、前記制御部が、前記センサにて検出された識別データを、前記記憶手段に記憶された初期設定データに基づいて解読することにより、前記景品をカウントする装置であり、前記識別データ解読用の初期設定データは、前記センサを用いて、当該初期設定データを記録する記録媒体から読み込むこととし、更に、前記景品は、前記識別データを記録する記録媒体が設けられたカードであり、前記識別データ解読用の初期設定データは、当該初期設定データを記録する記録媒体が設けられた前記景品と同型のカードから読み込む構成の計数装置であり、このような構成によると、識別データ解読用の初期設定データが効率よく読み込まれる。
【０００９】
すなわち、このような初期設定データの読み込みは、従来では、その計数装置に別途のパソコンを接続する等して行われ、非常に面倒な作業であったところ、本発明では、識別データを検出するセンサを用いて、当該初期設定データを記録媒体から直接読み込むので、比較的簡単な作業となる。また、このようにセンサを兼用すれば、かかる装置の簡素化も達成される。
【００１１】
また、本発明によると、景品たるカードと、初期設定データを読み込むためのカードとを同型に構成したので、センサに対し、それらのカードを同様に扱うことが可能であり、便利である。尚、それらのカードは、共通の金型を用いて製造することが可能である。
【００１２】
尚、前記計数装置は、当該装置を操作する操作ボタンが設けられた操作部を備え、所定の前記操作ボタンが押された状態で電源を入れた場合は、前記識別データ解読用の初期設定データを読み込む初期設定モードとなり、その他の場合は、前記景品をカウントする通常モードとなるように構成してもよい。このような構成によると、初期設定モード及び通常モードの切替えが効率よく行われる。
【００１３】
特に、このような切替えの構成は、装置の外観から理解するのは困難であり、不当な初期設定データの改ざんを防止する点で有益である。
【００１４】
【発明の実施の形態】
以下に、本発明の具体例を図面に基づいて詳細に説明する。
【００１５】
図１乃至図２に示すように、本例の計数装置１は、識別データが付されたパチンコの景品１１０，１２０，１３０をカウントするものである。
【００１６】
各景品１１０，１２０，１３０は、代価が異なる薄型の貴金属１１１，１２１，１３１をそれぞれ装着した同型のカードであり、装着した貴金属１１１，１２１，１３１の種類に応じて色分けされている。
【００１７】
また、各景品１１０，１２０，１３０には、記録媒体たるＩＣチップ１００がそれぞれ埋め込まれており、それらのＩＣチップ１００には、店舗のＩＤ、景品の種類、及び景品の通し番号を表す固有の識別データがそれぞれ記録されている。
【００１８】
本計数装置１は、各景品１１０，１２０，１３０に付された識別データを検出して、それらの景品をカウントするものであり、当該装置を制御する制御部２００と、識別データ解読用の初期設定データを記憶する記憶手段３００と、当該装置を操作する複数の操作ボタンからなる操作部４００と、景品１１０，１２０，１３０を搬送する搬送手段５００と、識別データを検出するセンサ６００と、カウント結果を表示する表示部７００とを備えている。
【００１９】
制御部２００は、ＣＰＵ、ＲＡＭ、ＲＯＭ等を配置した基板からなり、記憶手段３００は、その基板に配置したＥＥＰＲＯＭである。ＥＥＰＲＯＭは、電気的に内容の変更が可能なＰＲＯＭであり、本例では、フラッシュメモリを採用している。
【００２０】
操作部４００は、カウントの開始や終了等を操作するプッシュ式の操作ボタンを複数配列して構成されている。
【００２１】
搬送手段５００は、その駆動源たるモータ５１０と、一対のプーリ５２０と、プーリ５２０に装着されたベルト５３０と、景品１１０，１２０，１３０を重ねてセットするセット部５４０とを備え、カウントの開始とともにモータ５１０が駆動することにより、セット部にセットされた景品１１０，１２０，１３０が、ベルト５３０の移動に伴い連続して一枚ずつセンサ６００の検出位置を通過する構成となっている。尚、図１中の黒矢印は、景品１１０，１２０，１３０の排出方向を示す。
【００２２】
センサ６００は、電波を発射してＩＣを励振させ、その応答電波を受信する非接触式のものである。或いは、ＩＣチップ１００に外部端子設けて、その外部端子に接触子を接触させる接触式のものであってもよい。
【００２３】
景品１１０，１２０，１３０のカウントは、センサ６００にて検出された識別データを制御部が解読することによってなされる。つまり、識別データ解読用の初期設定データは、記憶手段３００に記憶されており、制御部２００は、かかる初期設定データに基づいて識別データを解読する。
【００２４】
本例の制御部２００によると、識別データに応じて各種景品１１０，１２０，１３０の個数と、それらの代価のトータルがカウントされ、その結果は、表示部７００に表示される。
【００２５】
また、記憶手段３００たるフラッシュメモリには、識別データ解読用の初期設定データの他に、このようなカウント結果を随時記憶するように構成している。しかるに、フラッシュメモリには、初期設定データを記憶するメモリ領域と、カウント結果を記憶するメモリ領域とを設定している。
【００２６】
フラッシュメモリに記憶されたカウント結果は、計数装置１にプリンタを接続することにより、プリントアウト可能となっている。
【００２７】
本例の計数装置１において、識別データ解読用の初期設定データは、センサ６００を用いて、当該初期設定データを記録する記録媒体から読み込み、記憶手段３００に記憶するように構成している。
【００２８】
つまり、景品１１０，１２０，１３０の識別データは、各店舗毎にそれぞれ異なるため、計数装置１については、あらかじめ、識別データ解読用の初期設定データを、所定の店舗に応じて設定する必要がある。また、各店舗においては、識別データを適宜変更する場合もあり、このような場合は、記憶手段３００に記憶された初期設定データを、その変更に応じて書きかえる必要がある。
【００２９】
この点本例では、識別データ解読用の初期設定データを記憶手段３００に記憶させるにあたって、その初期設定データが効率よく読み込まれる構成となっている。
【００３０】
識別データ解読用の初期設定データを記録する記録媒体は、景品１１０，１２０，１３０と同型のカード１４０に埋め込まれたＩＣチップ１００である。また、このカード１４０のＩＣチップ１００は、景品と共通するものとなっている。
【００３１】
図３に示すように、計数装置１は、操作部４００の操作ボタンのうち、所定のものが押された状態で電源を入れた場合は、識別データ解読用の初期設定データを読み込む初期設定モードとなり、その他の場合は、景品をカウントする通常モードとなる。また、これらの各モードは、電源をおとすとともに終了する。尚、初期設定モードにおいては、景品のカウントはなされず、通常モードにおいては、初期設定データの読み込みはなされない。
【００３２】
初期設定モードにおいて、初期設定データ読み込み用のカード１４０は、景品１１０，１２０，１３０と同様に扱われる。すなわち、搬送手段５００に対しては、まず、セット部５４０にセットされる。そして、読み込みの開始とともにモータ５１０が駆動することにより、ベルト５３０の移動に伴ってセンサ６００の検出位置を通過する。
【００３３】
このように、本例の計数装置は、識別データ解読用の初期設定データを効率よく読み込むことができるものであり、識別データが付されたパチンコの景品をカウントする計数装置として、極めて好適に使用することができる。
【００３４】
尚、本例では、識別データ及び識別データ解読用の初期設定データを記録する記録媒体として、ＩＣチップ１００を用いたが、或いは、バーコードを用いることも可能である。バーコードを用いる場合、センサとしては、バーコードのパターンを光学的に検出する光センサを採用する。
【００３５】
【発明の効果】
本願第１請求項に記載した発明は、景品に付された識別データを検出して、前記景品をカウントする計数装置において、当該装置を制御する制御部と、前記識別データを検出するセンサと、前記識別データ解読用の初期設定データを記憶する記憶手段と、前記景品を搬送する搬送手段とを備え、前記景品が、前記搬送手段にて搬送されて前記センサの検出位置を通過するとともに、前記制御部が、前記センサにて検出された識別データを、前記記憶手段に記憶された初期設定データに基づいて解読することにより、前記景品をカウントする装置であり、前記識別データ解読用の初期設定データは、前記センサを用いて、当該初期設定データを記録する記録媒体から読み込むこととし、更に、前記景品は、前記識別データを記録する記録媒体が設けられたカードであり、前記識別データ解読用の初期設定データは、当該初期設定データを記録する記録媒体が設けられた前記景品と同型のカードから読み込む構成の計数装置であり、このような構成によると、識別データ解読用の初期設定データを効率よく読み込むことができる。
【図面の簡単な説明】
【図１】  本発明の具体例に係り、計数装置を示す説明図である。
【図２】  本発明の具体例に係り、景品カード及び初期設定データ読み込み用カードを示す説明図である。
【図３】  本発明の具体例に係り、初期設定モード及び通常モードを説明するフローチャートである。
【符号の説明】
１      計数装置
１００      ＩＣチップ
１１０      景品
１１１      貴金属
１２０      景品
１２１      貴金属
１３０      景品
１３１      貴金属
１４０      初期設定データ読み込み用のカード
２００      制御部
３００      記憶手段
４００      操作部
５００      搬送手段
５１０      モータ
５２０      プーリ
５３０      ベルト
５４０      セット部
【図１】
0003916122.tif 000002
【図２】
0003916122.tif 000003
【図３】
0003916122.tif 000004